(57)【特許請求の範囲】
【請求項１】
モニタ画面と、
該モニタ画面上のタッチパネルと、
画像を撮影する撮像手段と、
前記撮像手段による画像の撮影後から前記モニタ画面に該画像を所定時間表示する処理であるレビュー表示中において、前記タッチパネルに対して行われた、連続するタッチ位置の相対的な変化による、タッチ操作の方法を複数の方法から判別するとともに、タッチ操作の種類を判別されるタッチ操作の方法に含まれる複数の種類から判別する判別手段と、
前記判別手段により判別されたタッチ操作の種類に応じて種類別処理を前記レビュー表示中の画像に対して実行する処理制御手段と、
を備えることを特徴とする撮像装置。
【請求項２】
前記判別手段は、前記タッチパネルに対するタッチ操作の方法として方向を指定するなぞる操作が行なわれたと判別された場合に、判別された方向を指定するなぞる操作から、そのなぞり操作の方向を前記タッチ操作の種類として判別し、
前記処理制御手段は、前記判別手段により判別されたなぞり方向に応じた方向別処理を前記種類別処理として実行する、
ようにしたことを特徴とする請求項１記載の撮像装置。
【請求項３】
前記タッチパネルに対するタッチ操作として手書き文字入力操作が行われた場合にその文字入力操作により入力された手書き文字を認識する認識手段を更に備え、
前記判別手段は、前記タッチパネルに対するタッチ操作の方法として手書きによる文字入力操作が行なわれたと判別された場合に、判別された手書きによる文字入力操作から、前記認識手段により認識された手書き文字を前記タッチ操作の種類として判別し、
前記処理制御手段は、前記認識手段により認識された手書き文字に応じた文字別処理を前記種類別処理として実行する、
ようにしたことを特徴とする請求項１記載の撮像装置。
【請求項４】
前記処理制御手段は、前記レビュー表示中に前記判別手段によってタッチ操作の方法又は種類を判別することができなかった場合に、前記種類別処理に代わって通常の処理を前記レビュー表示中の画像に対して実行する、
ようにしたことを特徴とする請求項１乃至３のいずれかに記載の撮像装置。
【請求項５】
モニタ画面と、
画像を撮影する撮像手段と、
前記撮像手段による画像の撮影後から前記モニタ画面に該画像を所定時間表示する処理であるレビュー表示中において、当該撮像装置を任意に移動させる移動操作を検出する検出手段と、
前記検出手段により検出された、移動操作の方法を複数の方法から判別するとともに、移動操作の種類を判別される移動操作の方法に含まれる複数の種類から判別する判別手段と、
前記判別手段により判別された移動操作の種類に応じて種類別処理を前記レビュー表示中の画像に対して実行する処理制御手段と、
を備えることを特徴とする撮像装置。
【請求項６】
前記検出手段は、前記撮像手段から取得した画像内の被写体の移動を検出することで当該撮像装置を任意に移動させる移動操作を検出する、
ようにしたことを特徴とする請求項５記載の撮像装置。
【請求項７】
前記判別手段は、前記移動操作の方法として方向を指定する移動操作が行なわれたと判別された場合に、判別された方向を指定する移動操作から、当該撮像装置の移動方向を前記移動操作の種類として判別し、
前記処理制御手段は、前記判別手段により判別された移動方向に応じた方向別処理を前記種類別処理として実行する、
ようにしたことを特徴とする請求項５又は６記載の撮像装置。
【請求項８】
前記移動操作として手書き文字を入力する文字入力操作が行われた場合にその文字入力操作により入力された手書き文字を認識する認識手段を更に備え、
前記判別手段は、前記移動操作の方法として手書きによる文字入力操作が行なわれたと判別された場合に、判別された手書きによる文字入力操作から、前記認識手段により認識された手書き文字を前記移動操作の種類として判別し、
前記処理制御手段は、前記認識手段により認識された手書き文字に応じた文字別処理を前記種類別処理として実行する、
ようにしたことを特徴とする請求項５又は６記載の撮像装置。
【請求項９】
前記処理制御手段は、前記レビュー表示中に前記判別手段によって移動操作の方法又は種類を判別することができなかった場合に、前記種類別処理に代わって通常の処理を前記レビュー表示中の画像に対して実行する、
ようにしたことを特徴とする請求項５乃至８のいずれかに記載の撮像装置。
【請求項１０】
前記撮像手段による撮影後の画像を一時格納フォルダに格納した後、前記種類別処理が
実行された場合に前記一時格納フォルダ内の画像を処理済み画像として消去する一時保存
処理手段を更に備える、
ようにしたことを特徴とする請求項１〜請求項９のいずれかに記載の撮像装置。
【請求項１１】
前記処理制御手段は、前記撮像手段により撮影された画像をその種類に応じたフォルダに振り分ける処理を種類別処理として実行する、
ようにしたことを特徴とする請求項１〜請求項１０のいずれかに記載の撮像装置。
【請求項１２】
前記処理制御手段は、前記撮像手段により撮影された画像のリネーム処理を種類別処理として実行する、
ようにしたことを特徴とする請求項１〜請求項１０のいずれかに記載の撮像装置。
【請求項１３】
前記処理制御手段は、前記撮像手段により撮影されて保存されている画像を削除する処理を前記種類別処理の一部として実行する、
ようにしたことを特徴とする請求項１〜請求項１０のいずれかに記載の撮像装置。
【請求項１４】
前記処理制御手段は、前記撮像手段により撮影された画像を保存する際の保存画像サイズを変更する処理を前記種類別処理として実行する、
ようにしたことを特徴とする請求項１〜請求項１０のいずれかに記載の撮像装置。
【請求項１５】
前記処理制御手段は、前記撮像手段により撮影された画像のファイル属性を指定する処理を前記種類別処理として実行する、
ようにしたことを特徴とする請求項１〜請求項１０のいずれかに記載の撮像装置。
【請求項１６】
撮像装置において、
画像を撮影する工程と、
前記画像の撮影後からモニタ画面に該画像を所定時間表示する処理であるレビュー表示中において、該モニタ画面上のタッチパネルに対して行われた、連続するタッチ位置の相対的な変化による、タッチ操作の方法を複数の方法から判別するとともに、タッチ操作の種類を判別されるタッチ操作の方法に含まれる複数の種類から判別する工程と、
前記判別されたタッチ操作の種類に応じて種類別処理を前記レビュー表示中の画像に対して実行する工程と、
を含むことを特徴とする撮像方法。
【請求項１７】
撮像装置において、
画像を撮影する工程と、
前記画像の撮影後からモニタ画面に該画像を所定時間表示する処理であるレビュー表示中において、撮像装置を任意に移動させる移動操作を検出する工程と、
前記移動操作が検出された場合に、移動操作の方法を複数の方法から判別するとともに、移動操作の種類を判別される移動操作の方法に含まれる複数の種類から判別する工程と、
前記判別された移動操作の種類に応じて種類別処理を前記レビュー表示中の画像に対して実行する工程と、
を含むことを特徴とする撮像方法。
【請求項１８】
コンピュータに対して、
画像を撮影する機能と、
前記画像の撮影後からモニタ画面に該画像を所定時間表示する処理であるレビュー表示中において、該モニタ画面上のタッチパネルに対して行われた、連続するタッチ位置の相対的な変化による、タッチ操作の方法を複数の方法から判別するとともに、タッチ操作の種類を判別されるタッチ操作の方法に含まれる複数の種類から判別する機能と、
前記判別されたタッチ操作の種類に応じて種類別処理を前記レビュー表示中の画像に対して実行する機能と、
を実現させるためのプログラム。
【請求項１９】
コンピュータに対して、
画像を撮影する機能と、
前記画像の撮影後からモニタ画面に該画像を所定時間表示する処理であるレビュー表示中において、撮像装置を任意に移動させる移動操作を検出する機能と、
前記移動操作が検出された場合に、移動操作の方法を複数の方法から判別するとともに、移動操作の種類を判別される移動操作の方法に含まれる複数の種類から判別する機能と、
前記判別された移動操作の種類に応じて種類別処理を前記レビュー表示中の画像に対して実行する機能と、
を実現させるためのプログラム。
【発明の詳細な説明】
【技術分野】
【０００１】
本発明は、モニタ画面を備えた撮像装置、撮像方法及びプログラムに関する。
【背景技術】
【０００２】
一般に、コンパクトカメラなどの撮像装置において、撮影された画像をその被写体に応じて別々のフォルダに分類して保存しておく場合に、その撮影者は、撮影後に画像を１枚ずつ再生させてその画像内の被写体を確認しながら手作業で分類するようにしているが、撮影から何日も過ぎていると、何を対象として撮影したのか、どこを撮影したのか、撮影目的はなんであったかなどを忘れてしまう場合があるほか、保存先のフォルダを画像毎に指示するという面倒な操作が必要となり、保存されている画像数が多いほど、その作業が煩雑なものとなってしまう。そこで、従来では、撮影された画像を解析することにより、予め登録された撮影対象（パターン）に合致するフォルダに撮影画像を自動的に振り分けるようにした技術が開示されている（特許文献１参照）。
【先行技術文献】
【特許文献】
【０００３】
【特許文献１】特開２０１０−５６８８４号公報
【発明の概要】
【発明が解決しようとする課題】
【０００４】
しかしながら、上述した特許文献にあっては、予め画像認識用として登録したパターンに合致するフォルダにその撮影画像を振り分けるようにしたものであるが、画像を解析する際の解析精度や被写体の状態変化などの様々な要因によってユーザの意図した振り分け方とは異なってしまう場合がある。このような場合に振り分けが間違っていないかを手作業で確認したり、振り分けをやり直したりする必要もあり、かえってユーザに負担をかけてしまうことがある。このことは、撮影画像をフォルダに振り分ける場合に限らず、例えば、撮影画像を解析して、そのファイル名を変更するリネーム処理などを行う場合であっても同様の問題が起きる。
【０００５】
本発明の課題は、撮影した画像に対する所望の処理を適切かつ素早く指定できるようにすることである。
【課題を解決するための手段】
【０００６】
上述した課題を解決するために本発明の一つの態様は、
モニタ画面と、
該モニタ画面上のタッチパネルと、
画像を撮影する撮像手段と、
前記撮像手段による画像の撮影後から前記モニタ画面に該画像を所定時間表示する処理であるレビュー表示中において、前記タッチパネルに対して行われた、連続するタッチ位置の相対的な変化による、タッチ操作の方法を複数の方法から判別するとともに、タッチ操作の種類を判別されるタッチ操作の方法に含まれる複数の種類から判別する判別手段と、
前記判別手段により判別されたタッチ操作の種類に応じて種類別処理を前記レビュー表示中の画像に対して実行する処理制御手段と、
を備えることを特徴とする撮像装置である。
上述した課題を解決するために本発明の他の態様は、
撮像装置において、
画像を撮影する工程と、
前記画像の撮影後からモニタ画面に該画像を所定時間表示する処理であるレビュー表示中において、該モニタ画面上のタッチパネルに対して行われた、連続するタッチ位置の相対的な変化による、タッチ操作の方法を複数の方法から判別するとともに、タッチ操作の種類を判別されるタッチ操作の方法に含まれる複数の種類から判別する工程と、
前記判別されたタッチ操作の種類に応じて種類別処理を前記レビュー表示中の画像に対して実行する工程と、
を含むことを特徴とする撮像方法である。
【０００７】
上述した課題を解決するために本発明の他の態様は、
コンピュータに対して、
画像を撮影する機能と、
前記画像の撮影後からモニタ画面に該画像を所定時間表示する処理であるレビュー表示中において、該モニタ画面上のタッチパネルに対して行われた、連続するタッチ位置の相対的な変化による、タッチ操作の方法を複数の方法から判別するとともに、タッチ操作の種類を判別されるタッチ操作の方法に含まれる複数の種類から判別する機能と、
前記判別されたタッチ操作の種類に応じて種類別処理を前記レビュー表示中の画像に対して実行する機能と、
を実現させるためのプログラムである。
【０００８】
また、上述した課題を解決するために本発明の一つの態様は、
モニタ画面と、
画像を撮影する撮像手段と、
前記撮像手段による画像の撮影後から前記モニタ画面に該画像を所定時間表示する処理であるレビュー表示中において、当該撮像装置を任意に移動させる移動操作を検出する検出手段と、
前記検出手段により検出された、移動操作の方法を複数の方法から判別するとともに、移動操作の種類を判別される移動操作の方法に含まれる複数の種類から判別する判別手段と、
前記判別手段により判別された移動操作の種類に応じて種類別処理を前記レビュー表示中の画像に対して実行する処理制御手段と、
を備えることを特徴とする撮像装置である。
上述した課題を解決するために本発明の他の態様は、
撮像装置において、
画像を撮影する工程と、
前記画像の撮影後からモニタ画面に該画像を所定時間表示する処理であるレビュー表示中において、撮像装置を任意に移動させる移動操作を検出する工程と、
前記移動操作が検出された場合に、移動操作の方法を複数の方法から判別するとともに、移動操作の種類を判別される移動操作の方法に含まれる複数の種類から判別する工程と、
前記判別された移動操作の種類に応じて種類別処理を前記レビュー表示中の画像に対して実行する工程と、
を含むことを特徴とする撮像方法である。
【０００９】
上述した課題を解決するために本発明の他の態様は、
コンピュータに対して、
画像を撮影する機能と、
前記画像の撮影後からモニタ画面に該画像を所定時間表示する処理であるレビュー表示中において、撮像装置を任意に移動させる移動操作を検出する機能と、
前記移動操作が検出された場合に、移動操作の方法を複数の方法から判別するとともに、移動操作の種類を判別される移動操作の方法に含まれる複数の種類から判別する機能と、
前記判別された移動操作の種類に応じて種類別処理を前記レビュー表示中の画像に対して実行する機能と、
を実現させるためのプログラムである。
【発明の効果】
【００１２】
本発明によれば、例えば、画像の撮影直後などであっても、撮影した画像に対する所望の処理を適切かつ素早く指定することができ、操作性や利便性を向上させることが可能となる。
【図面の簡単な説明】
【００１３】
【図１】撮像装置として適用したデジタルカメラの基本的な構成要素を示したブロック図。
【図２】（１）は、撮影モードにおいてタッチパネル８上でなぞる操作が行われた場合にその操作の種類を示した図、（２）は、撮影モードにおいてタッチパネル８上で手書きによる文字入力操作が行われた場合を例示した図。
【図３】撮影モード方向テーブルＴ１を説明するための図。
【図４】（１）は、撮影モード手書き文字認識テーブルＴ２を説明するための図、（２）は、再生モード方向テーブルＴ３を説明するための図。
【図５】電源投入に応じて実行開始されるカメラの全体動作（第一実施形態の特徴部分の動作概要）を示したフローチャート。
【図６】図５に続く動作を示したフローチャート。
【図７】第二実施形態において、撮像装置として適用したデジタルカメラの基本的な構成要素を示したブロック図。
【図８】（１）は、筐体を振る移動操作が行われた場合にその移動操作の種類を示した図、（２）は、筐体移動による文字入力操作が行われた場合を例示した図。
【図９】電源投入に応じて実行開始されるカメラの全体動作（第二実施形態の特徴部分の動作概要）を示したフローチャート。
【図１０】図９に続く動作を示したフローチャート。
【図１１】第三実施形態において、撮像装置として適用したデジタルカメラの基本的な構成要素を示したブロック図。
【図１２】（１）は、撮影レンズの前で撮影者が手（被写体）を所定方向に移動する移動操作が行われた場合にその種類を示した図、（２）は、撮影レンズの前で撮影者が自身の手（被写体）を動かしながら手書きによる文字入力操作が行われた場合を例示した図。
【図１３】（１）は、筐体を振る操作で撮影範囲が変化して被写体があたかも移動したような状態となる場合に、その被写体の移動操作の種類を示した図、（２）は、筐体移動（被写体移動）による文字入力操作が行われた場合を例示した図。
【図１４】電源投入に応じて実行開始されるカメラの全体動作（第三実施形態の特徴部分の動作概要）を示したフローチャート。
【図１５】図１４に続く動作を示したフローチャート。
【発明を実施するための形態】
【００１４】
以下、本発明の実施の形態について、図面を参照して詳細に説明する。
（第一実施形態）
先ず、図１〜図６を参照して本発明の第一実施形態を説明する。
図１は、撮像装置として適用したデジタルカメラの基本的な構成要素を示したブロック図である。
このデジタルカメラ（撮像装置）は、撮像機能、計時機能などの基本機能のほかに、タッチ操作による入力が可能なタッチ入力機能、タッチ操作により入力された文字を認識する文字認識機能を有し、静止画像のほかに動画像の撮影も可能なコンパクトカメラで、制御部１を中核としている。制御部１は、電源部（二次電池）２からの電力供給によって動作し、記憶部３内の各種のプログラムに応じてこのデジタルカメラ（以下、カメラと略称する）の全体動作を制御するもので、この制御部１には図示しないＣＰＵ（中央演算処理装置）やメモリなどが設けられている。
【００１５】
記憶部３は、例えば、ＲＯＭ、フラッシュメモリなどを有する構成で、後述する図５及び図６に示した動作手順に応じて本実施形態を実現するためのプログラムや各種のアプリケーションなどが格納されているプログラム記憶部Ｍ１と、撮像済み画像（静止画像、動画像）をフォルダ単位毎に分類して記憶保存する画像記憶部Ｍ２、各種のテーブルを記憶するテーブル記憶部Ｍ３を有するほか、このカメラが動作するために必要となる各種の情報（例えば、撮影された画像、フラグ、タイマなど）を一時的に記憶するワーク領域を有する構成となっている。
【００１６】
一時格納フォルダＴＥＭＰは、記憶部３のワーク領域内に設けられたもので、撮影直後の画像を一時的に保存するフォルダである。テーブル記憶部Ｍ３には、後述する撮影モード方向テーブルＴ１、撮影モード手書き文字認識テーブルＴ２、再生モード方向テーブルＴ３が設けられている。なお、記憶部３は、例えば、ＳＤカード、ＩＣカードなど、着脱自在な可搬型メモリ（記録メディア）を含む構成であってもよく、図示しないが、通信機能を介してネットワークに接続された状態においては所定の外部サーバ側の記憶領域を含むものであってもよい。
【００１７】
操作部４は、撮影が可能な動作モード（撮影モード）と、撮影済み画像（保存画像）を再生する動作モード（再生モード）とを切り換えるモード変更ボタンＫ１と、撮影開始を指示するレリーズボタンＫ２のほかに、図示省略したが、露出やシャッタスピードなどの撮影条件の設定操作、再生対象を選択する画像選択操作などを行う押しボタン式の各種のキーを備えたもので、制御部１は、この操作部４からの入力操作信号に応じた処理として、例えば、モード変更処理、撮影処理、撮影条件の設定、画像選択処理などを行う。
【００１８】
撮像部５は、図示省略したが、光学レンズからの被写体像が撮像素子（ＣＣＤやＣＭＯＳなど）に結像されることにより被写体を高精細に撮影可能なカメラ部を構成するもので、静止画像のほかに動画像の撮影も可能なもので、光電変換された画像信号（アナログ値の信号）は、色分離やＲＧＢの色成分毎のゲイン調整などが行われた後、デジタル値のデータに変換される。そして、デジタル変換された画像データは、色補間処理（デモザイク処理）が施されて表示部６にフルカラー表示される。また、撮像部５は、オートフォーカス処理（ＡＦ処理）、露出調整処理（ＡＥ処理）、オートホワイトバランス調整処理（ＡＷＢ）、画像圧縮処理、画像復元処理なども実行可能となっている。
【００１９】
表示部６は、タッチ入力表示部７を構成するもので、例えば、縦横比（横４：縦３）の異なる画面を有した高精細液晶ディスプレイ又は有機ＥＬ（Electro Luminescence）ディスプレイで、撮像された画像を表示するモニタ画面として機能したり、撮影済み画像を再生する再生画面として機能したりする。タッチ入力表示部７は、撮影者の指などでタッチ操作された位置を検知してその座標データを入力するタッチスクリーンを構成するもので、透明なタッチパネル（タッチセンサ）８が表示部６の表示面全体に積層配設された構成となっている。なお、タッチパネル８としては、静電容量方式、抵抗皮膜方式、電磁誘導方式、圧電方式などの各種方式のうち、軽量化、光透過性、耐久性などに優れた静電容量方式を採用しているが、その他の方式であってもよい。
【００２０】
ここで、第一実施形態において制御部１は、撮像部５による画像の撮影後から所定時間（例えば、５秒間）継続してその画像を確認用の画像として表示部（モニタ画面）６にレビュー表示させるようにしている。そして、このレビュー表示中にタッチパネル８に対して所定のタッチ操作、つまり、タッチパネル８上で撮影者が指などをタッチしながら移動する“なぞる操作（スライド操作）”が行われた場合に、そのなぞる操作の種類を判別し、その種類に応じて種類別処理（方向別処理）をレビュー表示中の画像に対して実行するようにしている。また、レビュー表示中にタッチパネル８上で手書きによる文字入力操作が行われた場合に、その文字入力操作により入力された手書き文字を認識し、その文字に応じて種類別処理（文字別処理）をレビュー表示中の画像に対して実行するようにしている。
【００２１】
図２（１）は、撮影モードにおいてタッチパネル８上で所定のなぞる操作が行われた場合に、そのなぞる操作の種類を示した図である。
すなわち、撮像部５による画像の撮影後から所定時間継続してレビュー表示されている状態において、所定のなぞる操作の方向（なぞる方向：移動方向）として、上方向になぞる操作が行われた場合、下方向になぞる操作が行われた場合、右方向になぞる操作が行われた場合、左方向になぞる操作が行われた場合を示し、第一実施形態では、この上下左右方向へのなぞる操作を有効としている。図２（２）は、撮影モードにおいてタッチパネル８上で手書きによる文字入力操作が行われた場合を例示した図で、この例では、アルファベット文字の“Ｄ”を入力した場合を示している。
【００２２】
図３は、撮影モード方向テーブルＴ１を説明するための図である。
撮影モード方向テーブルＴ１は、撮影モードにおいてタッチパネル８上でなぞる操作が行われた場合に、そのなぞる操作の種類（なぞる方向）に応じて種類別処理（方向別処理）を記憶するテーブルで、そのなぞる方向に対応して種類別処理（方向別処理）が設定されている。図中、「方向」は、なぞる方向として“上”、“下”、“左”、“右”の方向を示している。「設定種」は、なぞる操作の種類（なぞる方向）に応じて、どのような種類別処理が実行されるかを示し、図示の例では、「設定種」として“振り分け”、“振り分け＋削除”、“保存画像サイズ”、“ファイル属性”が存在し、その中からいずれかの「設定種」を有効とするかはユーザ操作により任意に選択可能となっている。
【００２３】
「設定種」の“振り分け”は、レビュー表示されている画像の保存時に、なぞる方向に応じてその保存先としてどの分類別フォルダに振り分けるかを示す画像の振り分け処理である。例えば、なぞる方向が“上”であれば、フォルダＡへの振り分け（コピー）処理とその画像のファイル名を変更するフォルダＡ用のリネーム処理を行うことを示している。同様に、なぞる方向が“下”であれば、フォルダＢへの振り分け（コピー）処理とその画像のファイル名を変更するフォルダＢ用のリネーム処理を行うことを示し、また、なぞる方向が“左”であれば、フォルダＣへの振り分け（コピー）処理とその画像のファイル名を変更するフォルダＣ用のリネーム処理を行うことを示し、更に、なぞる方向が“右”であれば、フォルダＤに振り分け（コピー）処理とその画像のファイル名を変更するフォルダＤ用のリネーム処理を行うことを示している。
【００２４】
なお、分類別フォルダとしては、例えば、自然、人物、家族、建物などのように被写体の種類別に画像を格納するフォルダあるいは正月、夏祭りなどのようにイベント別に画像を格納するフォルダなどである。ここで、家族を撮影した画像用としてフォルダＡ、友人を撮影した画像用としてフォルダＢ、風景を撮影した画像用としてフォルダＣなどとしてもよい。なお、この撮影モード方向テーブルＴ１の内容は、ユーザ操作により任意に設定可能としている（以下、同様）。
【００２５】
「設定種」の“振り分け＋削除”は、上述の“振り分け”と同様に、レビュー表示されている画像をどのフォルダに振り分けるかを示す画像の振り分け処理であるが、フォルダへの振り分けのほか、更に、レビュー表示されている画像を保存せずに削除を指示する削除処理も含まれている。すなわち、図示の例では、なぞる方向が“上”であれば、フォルダＡへの振り分け（コピー）処理とその画像のファイル名を変更するフォルダＡ用のリネーム処理を行うことを示しているが、なぞる方向が“下”であれば、レビュー表示されている画像を保存せずに削除する削除処理であることを示している。なお、図示の例では、なぞる方向が“左”であれば、フォルダＢへの振り分け（コピー）処理とその画像のファイル名を変更するフォルダＢ用のリネーム処理を行うことを示し、更に、なぞる方向が“右”であれば、フォルダＣに振り分け（コピー）処理とその画像のファイル名を変更するフォルダＣ用のリネーム処理を行うことを示している。
【００２６】
「設定種」の“保存画像サイズ”は、レビュー表示されている画像の保存時に、なぞる方向に応じてその保存画像サイズをどの大きさにするかを示す保存画像のサイズ変更処理である。例えば、なぞる方向が“上”であれば、“Ａ３印刷用”に変更し、“下”であれば、“Ａ４印刷用”、“左”であれば、“表示用”、“右”であれば、“メール添付用”に変更することを示している。また、「設定種」の“ファイル属性”は、レビュー表示されている画像の保存時に、なぞる方向に応じてどのようなファイル属性を付加するかを示す属性の付加処理である。例えば、なぞる方向が“上”であれば、閲覧時にパスワード入力を促す“シークレット”を付加し、“下”であれば、画像編集を禁止する“リードオンリー”を付加することを示しているが、“左”及び“右”の場合には、“なし”（ファイル属性を付加しない）を示している。
【００２７】
図４（１）は、撮影モード手書き文字認識テーブルＴ２を説明するための図である。
撮影モード手書き文字認識テーブルＴ２は、撮影モードにおいてタッチパネル８上で手書きによる文字入力操作が行われた場合に、その文字入力操作により入力された手書き文字に応じて種類別処理（文字別処理）を記憶するテーブルで、手書き文字の認識結果（認識文字）に対応して種類別処理が設定されている。この場合、「認識文字」の“Ｄ”に対応して“削除”が設定されている。なお、“削除”は、レビュー表示されている画像を保存せずに削除すべきことを示している。
【００２８】
また、文字“Ｓ”に対応してファイル属性の“シークレット”、また、文字“Ｒ”に対してファイル属性の“リードオンリー”が設定されている。更に、文字“Ａ”に対応して保存画像サイズの“Ａ３印刷用”が設定され、文字“Ｂ”に対応して保存画像サイズの“Ａ４印刷用”、また、文字“Ｃ”に対応して保存画像サイズの“表示用”、更に、文字“Ｍ”に対応して保存画像サイズの“メール添付用”が設定されている。“その他”の認識文字に対応して、上述した“振り分け”の場合と同様に、対応するフォルダへの振り分け（コピー）処理とその画像のファイル名を変更するフォルダ用のリネーム処理を行うべきことが設定されている。なお、撮影モード手書き文字認識テーブルＴ２の内容は、ユーザ操作により任意に設定可能としている。
【００２９】
図４（２）は、再生モード方向テーブルＴ３を説明するための図である。
再生モード方向テーブルＴ３は、再生モードにおいてタッチパネル８上でなぞる操作が行われた場合に、そのなぞる方向に応じた処理を記憶するテーブルで、なぞる方向が“左”であれば、現在再生中の画像に対して一つ前の画像に送る処理を行うことを示し、“右”であれば、現在再生中の画像に対して一つ後ろ（次の）画像に送る処理を行うことを示している。なお、再生モード方向テーブルＴ３の内容は、ユーザ操作によりを任意に設定可能としている。
【００３０】
次に、第一実施形態におけるカメラの動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００３１】
図５及び図６は、電源投入に応じて実行開始されるカメラの全体動作を示したフローチャートで、第一実施形態の特徴部分の動作概要を示している。
先ず、制御部１は、動作モードは撮影モードであるかを調べ（図５のステップＡ１）、撮影モードであれば（ステップＡ１でＹＥＳ）、以下、撮影モードに応じた処理に移るが、撮影モードでなければ（ステップＡ１でＮＯ）、再生モードであると判断して、図６のフローに移り、再生モードに応じた処理を行う。すなわち、再生モードとして動作可能な状態に設定する初期設定を行った後、ユーザ操作により任意に指定された再生対象の画像（撮影済み画像）を画像記憶部Ｍ２から読み出して、表示部６に表示させる処理を行う（図６のステップＡ２１）。この再生モードにおいて、タッチパネル８上でなぞる操作が行われたかを調べたり（ステップＡ２２）、再生対象の画像を選択する操作が行われたかを調べたり（ステップＡ２３）、モード変更ボタンＫ１が操作されたかを調べたり（ステップＡ２４）、その他の操作が行われたかを調べたりする（ステップＡ２５）。
【００３２】
いま、タッチパネル８からの位置検出信号に基づいて、なぞる操作が行われたことを検出したときには（ステップＡ２２でＹＥＳ）、そのなぞる方向を判別し（ステップＡ２６）、その判別方向に基づいて再生モード方向テーブルＴ３を参照し（ステップＡ２７）、該当する方向がそのテーブルＴ３に設定されているかを調べる（ステップＡ２８）。ここで、なぞる方向が左右いずれかの方向に該当していれば（ステップＡ２８でＹＥＳ）、その該当する方向に対応する処理を行う（ステップＡ２９）。例えば、なぞる方向が“左”の方向であれば、現在再生中の画像に対して一つ前の画像に送る処理を行い、“右”
の方向であれば、現在再生中の画像に対して一つ後ろ（次の）画像に送る画像送り処理を行う。その後、上述のステップＡ２２に戻る。
【００３３】
また、再生モードにおいて、再生対象の画像を選択する操作が行われたときには（ステップＡ２３でＹＥＳ）、選択された画像を画像記憶部Ｍ２から読み出して、タッチ入力表示部７の表示部６に表示（ステップＡ３０）させた後、上述のステップＡ２２に戻る。また、その他の操作として、例えば、画像送り操作、画像編集の指示操作、拡大指示操作などが行われたときには（ステップＡ２５でＹＥＳ）、その操作に応じた処理として、画像編集、画像拡大などの処理（ステップＡ３１）を実行した後、上述のステップＡ２２に戻る。ここで、再生モードを解除して撮影モードを指定するためにモード変更ボタンＫ１が操作されたときには（ステップＡ２４でＹＥＳ）、図５のフローに移り、以下、撮影モードに応じた処理を行う（ステップＡ２〜Ａ２０）。
【００３４】
先ず、撮影モードとして動作可能な状態に設定する初期設定を行った後、撮像部５から取り込んだ画像をライブビュー画像として表示部６に表示させる処理を行う（ステップＡ２）。この撮影モードにおいて、レリーズボタンＫ２が操作されたかを調べたり（ステップＡ３）、モード変更ボタンＫ１が操作されたかを調べたり（ステップＡ４）、その他の操作が行われたかを調べたりする（ステップＡ５）。いま、その他の操作として、例えば、撮影モード方向テーブルＴ１、撮影モード手書き文字認識テーブルＴ２、再生モード方向テーブルＴ３への設定操作、露出設定、ズーム設定などが行われたときには（ステップＡ５でＹＥＳ）、その操作に応じた処理として、テーブル設定処理、露出設定、ズーム設定などの処理（ステップＡ６）を実行した後、上述のステップＡ２に戻る。また、撮影モードを解除して再生モードを指定するためにモード変更ボタンＫ１が操作されたときには（ステップＡ４でＹＥＳ）、上述の再生モードに応じた処理に移る。
【００３５】
レリーズボタンＫ２が操作されたときには（ステップＡ３でＹＥＳ）、ライブビュー表示中の画像を撮影画像としてオートフォーカス処理（ＡＦ処理）、露出調整処理（ＡＥ処理）、オートホワイトバランス調整処理（ＡＷＢ処理）を行うと共に（ステップＡ７）、撮影条件を設定して撮影処理を行う（ステップＡ８）。そして、この撮影された画像を一時格納フォルダＴＥＭＰに一時保存（ステップＡ９）させた後、この撮影後の画像を表示部（モニタ画面）６に確認用の画像として表示させることにより撮影直後から所定時間継続するレビュー表示を開始させる（ステップＡ１０）。このレビュー表示中においては、タッチパネル８上でなぞる操作が行われたかを調べたり（ステップＡ１１）、タッチパネル８上で手書きによる文字入力操作が行われたかを調べたり（ステップＡ１２）、レビュー表示の継続時間が経過したかを調べたりする（ステップＡ１３）。
【００３６】
いま、タッチパネル８からの位置検出信号に基づいて、なぞる操作が行われたことを検出したときには（ステップＡ１１でＹＥＳ）、そのなぞる方向を判別し（ステップＡ１４）、その判別方向に基づいて撮影モード方向テーブルＴ１を参照し（ステップＡ１５）、該当する方向がそのテーブルＴ１に設定されているかを調べる（ステップＡ１６）。ここで、なぞる方向が上下左右いずれかの方向にも該当していなければ（ステップＡ１６でＮＯ）、ステップＡ１９に移り、通常の画像保存処理を行う。
【００３７】
すなわち、種類別処理（方向別処理／文字別処理）に代わる通常の処理として、画像記憶部Ｍ２内の所定フォルダ（通常のフォルダ）内に画像を保存する処理を行う。この場合、一時格納フォルダＴＥＭＰに一時保存されている画像を画像記憶部Ｍ２内の所定フォルダ（通常のフォルダ）にコピーする。そして、一時格納フォルダＴＥＭＰ内の画像を処理済み画像として削除（ステップＡ２０）した後、上述のステップＡ２に戻る。なお、所定フォルダ（通常のフォルダ）とは、例えば、画像を分類別に格納せずにその撮影日時順に撮影するフォルダを意味しているが、撮影日時順のフォルダに限らず、ファイル名順（あいうえお順）などであってもよい。
【００３８】
また、なぞる方向が上下左右いずれかの方向に該当していれば（ステップＡ１６でＹＥＳ）、その該当する方向に対応する種類別処理（方向別処理）を行う（ステップＡ１７）。例えば、「設定種」の“振り分け”が有効の場合に、なぞる方向が“上”であれば、フォルダＡへの振り分け（コピー）処理とその画像のファイル名を変更するフォルダＡ用のリネーム処理が実行される。また、“振り分け＋削除”が有効の場合に、なぞる方向が“下”であれば、レビュー表示されている画像を保存せずに削除する処理が実行される。また、“保存画像サイズ”が有効の場合に、なぞる方向が“上”であれば、レビュー表示されている画像を“Ａ３印刷用”のサイズに変更する処理が実行される。また、“ファイル属性”が有効の場合に、なぞる方向が“下”の場合には、画像編集を禁止するリードオンリーに関する処理が実行される。このような方向別処理の実行後は、一時格納フォルダＴＥＭＰ内の画像を処理済み画像として削除（ステップＡ２０）した後、上述のステップＡ２に戻る。
【００３９】
一方、撮影モードにおいてタッチパネル８上で手書きによる文字入力操作が行われた場合には（ステップＡ１２でＹＥＳ）、その文字入力操作により入力された手書き文字を認識する処理を行う（ステップＡ１８）。これによって手書き文字が認識されると、その認識文字に基づいて撮影モード手書き文字認識テーブルＴ２を参照し（ステップＡ１５）、そのテーブルＴ２に設定されている文字のいずれかに認識文字が該当しているかを調べる（ステップＡ１６）。ここで、該当していなければ（ステップＡ１６でＮＯ）、ステップＡ１９に移り、一時格納フォルダＴＥＭＰに一時保存されている画像を画像記憶部Ｍ２内の所定フォルダ（通常フォルダ）にコピーする。その後、一時格納フォルダＴＥＭＰ内の画像を処理済み画像として削除（ステップＡ２０）した後、上述のステップＡ２に戻る。
【００４０】
また、文字認識テーブルＴ２に設定されている文字のいずれかに認識文字が該当していれば（ステップＡ１６でＹＥＳ）、その該当する文字に対応する種類別処理（文字別処理）を行う（ステップＡ１７）。例えば、認識文字が“Ｄ”であれば、レビュー表示されている画像を保存せずに削除する処理を行い、認識文字が“Ｓ”であれば、ファイル属性として“シークレット”を付加する処理を行い、認識文字が”Ａ”であれば、保存画像サイズをＡ３印刷用とする処理を行う。このようにして文字別処理を行うと、一時格納フォルダＴＥＭＰ内の画像を処理済み画像として削除（ステップＡ２０）した後、上述のステップＡ２に戻る。一方、レビュー表示の継続時間が経過したときには（ステップＡ１３でＹＥＳ）、ステップＡ１９に移り、一時格納フォルダＴＥＭＰに一時保存されている画像を画像記憶部Ｍ２内の所定フォルダ（通常のフォルダ）にコピーする。そして、一時格納フォルダＴＥＭＰ内の画像を処理済み画像として削除（ステップＡ２０）した後、上述のステップＡ２に戻る。
【００４１】
以上のように、第一実施形態において制御部１は、撮像部５による画像の撮影後からモニタ画面に所定時間行われるレビュー表示中において、タッチパネル８に対して行われたタッチ操作の種類を判別し、その種類に応じて種類別処理をレビュー表示中の画像に対して実行するようにしたので、画像の撮影直後にタッチ操作という分かり易い簡単な操作を行うだけで、その画像に対する所望の処理を指定することができ、操作性や利便性を向上させることが可能となるほか、撮影直後であるためにユーザの意志を反映し易く、かつその他の状態で不用意にタッチパネル８に触れてしまっても予期せぬ処理が実行される心配もない。
【００４２】
撮影画像に対する処理種別の指定操作を、例えば、撮影記録後のメニュー選択操作（撮影直後のメニュー選択操作、撮影記録後のタッチパネル操作など）ではなく、レビュー表示中のタッチパネル操作で行うことには以下のような利点がある。
前者の操作（撮影記録後のメニュー選択操作）においては、ユーザが処理対象となる画像の指定操作を改めて行ったり、撮影画像に対する処理種別を選択するためのメニュー画面の呼び出し操作を改めて行ったりする必要がある。一方、後者の操作（レビュー表示中のタッチパネル操作）においては、ユーザが処理対象となる画像の指定操作を改めて行ったり、撮影画像に対する処理種別を選択するためのメニュー画面の呼び出し操作を改めて行ったりする必要がなく、ユーザがレビュー表示中にタッチパネル操作を行うだけで、自動的にレビュー表示中の撮影画像を処理対象として認識すると共に、自動的にタッチパネル操作の内容を、様々な画像処理の種別の中から、撮影直後（未保存）の画像を対象とした処理種別を選択する操作指示として認識させることが可能になる。
【００４３】
それゆえに、レビュー表示中以外のタイミングでタッチパネル操作があった場合には、このタッチパネル操作の内容は、撮影直後（未保存）の画像を対象とした処理種別の選択操作ではなく、別の処理種別の選択操作として認識させることも可能である。また、撮影直後（未保存）の画像を対象とした特別な処理を行う必要がなければ、ユーザは単純にレビュー表示中にタッチパネル操作を行わなければよく、この特別な処理の有無を指定する操作も不要となる。また、このような処理を行うために通常の撮影記録動作を遅延させることもない。このような効果は、レビュー表示とタッチパネル操作とを組み合わせたこと、つまり、レビュー表示中という限られた短い時間の中でも素早く容易な指示操作が可能なタッチパネル操作を採用したことで可能になったものである。
【００４４】
制御部１は、タッチパネル８に対するタッチ操作としてなぞる操作が行われた場合にそのなぞり方向に応じて種類別処理（方向別処理）を実行するようにしたので、なぞる操作という分かり易い簡単な操作を行うだけで良く、例えば、上下左右という簡単な方向へのなぞる操作に応じて４種類の処理の中から所望する処理を指定することができる。
【００４５】
制御部１は、タッチパネル８に対するタッチ操作として手書き文字入力操作が行われた場合にその文字入力操作により入力された手書き文字を認識し、その認識文字に応じて種類別処理（文字別処理）を実行するようにしたので、手書き文字を入力するという分かり易い操作を行うだけで、所望する処理を指定することができるほか、文字の種類に対応する多くの処理の中から所望する処理を指定することができる。
【００４６】
制御部１は、レビュー表示中にタッチ操作の種類を判別することができなかった場合、つまり、レビュー表示の継続時間が経過した場合に、種類別処理（方向別処理／文字別処理）に代わる通常の処理として、分類別フォルダへの保存に代わって、撮影日時順に画像を保存する通常のフォルダへの保存処理を行うようにしたので、特別な操作を行わなくても通常のフォルダへの保存が可能となる。
【００４７】
撮影後の画像を一時格納フォルダＴＥＭＰに格納した後、種類別処理が実行された場合に一時格納フォルダＴＥＭＰ内の画像を処理済み画像として消去するようにしたので、様々な処理を効率良く行うことが可能となる。
【００４８】
撮影された画像をその種類に応じたフォルダに振り分ける処理を種類別処理として実行するようにしたので、撮影された画像をフォルダに振り分ける作業を簡単な操作で効率良く行うことができる。
【００４９】
撮影された画像のリネーム処理を種類別処理として実行するようにしたので、撮影された画像にそのファイル名を簡単な操作で効率良く付加することができる。
【００５０】
撮影されて保存されている画像を削除する処理を種類別処理の一部として実行するようにしたので、画像の削除を簡単な操作で効率良く行うことができる。
【００５１】
撮影された画像を保存する際の保存画像サイズを変更する処理を種類別処理として実行するようにしたので、保存画像サイズを簡単な操作で効率良く変更することができる。
【００５２】
撮影された画像のファイル属性を指定する処理を種類別処理として実行するようにしたので、ファイル属性を簡単な操作で効率良く指定することができる。
【００５３】
なお、上述した第一実施形態においては、上下左右方向へのなぞる操作に応じて４種類の処理の中から所望する処理を指定するようにしたが、上下左右方向に加えて斜め４５°方向を入れて合計８種類の処理の中から所望する処理を指定するようにしてもよい。その他、上下左右方向に限らず、なぞり方向は任意である。
【００５４】
また、上述した第一実施形態においては、レビュー表示中にタッチ操作の種類として、なぞる操作の方向を示したが、一定時間内でのタッチ操作の回数をタッチ操作の種類としてもよい。また、複数の位置を指などで同時にタッチしながら同一方向に移動するなぞる操作（マルチタッチ操作）が行われた場合に、そのタッチした位置の数（指などの本数）をマルチタッチ数として検出し、そのマルチタッチ数をタッチ操作の種類としてもよい。
【００５５】
（第二実施形態）
以下、この発明の第二実施形態について図７〜図１０を参照して説明する。
なお、上述した第一実施形態においては、なぞる操作に応じて種類別処理（方向別処理）を実行したり、手書き文字入力操作により入力された手書き文字に応じて種類別処理（文字別処理）を実行したりするようにしたが、この第二実施形態においては、撮影者がカメラ本体（筐体）を所定方向に振る操作（筐体の移動操作）に応じて種類別処理（方向別処理）を実行したり、撮影者がカメラ本体（筐体）を振りながら文字を書く移動操作、つまり、筐体移動による文字入力操作により入力された手書き文字に応じて種類別処理（文字別処理）を実行したりするようにしたものである。ここで、両実施形態において基本的あるいは名称的に同一のものは、同一符号を付して示し、その説明を省略すると共に、以下、第二実施形態の特徴部分を中心に説明するものとする。
【００５６】
図７は、第二実施形態において、撮像装置として適用したデジタルカメラの基本的な構成要素を示したブロック図である。
第二実施形態のカメラは、基本的には図１と同様の構成で、制御部１は、電源部（二次電池）２からの電力供給によって動作し、記憶部３内の各種のプログラムに応じてこのデジタルカメラの全体動作を制御する。制御部１には、その入出力周辺デバイスとして操作部４、撮像部５、表示部６のほか、加速度センサ９が接続されている。
【００５７】
加速度センサ９は、例えば、カメラ本体（筺体）に内蔵された３軸タイプの加速度センサで、互いに直交する３軸方向（Ｘ・Ｙ・Ｚ方向）の加速度成分、つまり、３軸に対してかかる加速度の大きさに比例した電圧値を出力するが、筐体の静止時には、重力方向の加速度（重力加速度）が約１Ｇとなる。制御部１は、撮像部５による画像の撮影後から所定時間継続してその画像を表示させているレビュー表示中において、加速度センサ９の各軸方向の加速度に基づいて筐体の振られた方向（上下左右のいずれかの方向）を検出するようにしている。また、制御部１は、加速度センサ９の各軸方向の加速度に基づいて重力方向に対して並行な２次元平面（垂直面）を特定し、この平面内において直交する２軸の成分に分離した加速度データ、つまり、第１成分の加速度データと第２成分の加速度データに基づいて文字認識を行うようにしている。
【００５８】
図８（１）は、撮影モードにおいて筐体を振る移動操作の種類を説明するための図で、撮影モードにおいて撮影された画像がレビュー表示されている状態において、筐体の移動操作（方向指定操作）が行われた場合を示している。つまり、移動操作の方向（移動方向）として、上方向への移動操作が行われた場合、下方向への移動操作が行われた場合、右方向への移動操作が行われた場合、左方向への移動操作が行われた場合を示し、そのいずれかの方向への移動操作が有効となる。図８（２）は、撮影モードにおいて筐体を振りながら文字を書く文字入力操作（筐体移動による文字入力操作）が行われた場合で、この例では、アルファベット文字の“Ｄ”を入力した場合を示している。
【００５９】
第二実施形態の撮影モード方向テーブルＴ１は、図３の構成と同様であり、また、第二実施形態の再生モード方向テーブルＴ３は、図４（２）の構成と同様であるが、第二実施形態での「方向」は、筐体を所定方向に振る移動操作（方向指定操作）が行われた場合の移動方向を示している。その他は、第一実施形態と同様である。また、第二実施形態の撮影モード手書き文字認識テーブルＴ２は、図４（１）の構成と同様であるが、第二実施形態での「認識文字」は、筐体を振りながら文字を書く移動操作、つまり、文字入力操作（筐体移動による文字入力操作）により入力された手書き文字の認識結果を示している。その他は、第一実施形態と同様である。
【００６０】
図９及び図１０は、電源投入に応じて実行開始されるカメラの全体動作（第二実施形態の特徴部分の動作概要）を示したフローチャートである。なお、図９及び図１０の各ステップにおいて第一実施形態の図５及び図６と基本的に同様の部分については、その説明を簡単に行うものとする。
先ず、制御部１は、撮影モードでなければ（図９のステップＢ１でＮＯ）、図１０のフローに移り、再生モードの初期設定と共に再生対象の画像を表示させる処理を行う（ステップＢ２２）。この再生モードにおいて加速度センサ９の各軸方向の加速度に基づいて筐体の移動操作を検出したときには（ステップＢ２３でＹＥＳ）、その移動操作は方向指定操作であるかを調べる（ステップＢ２４）。
【００６１】
ここで、方向指定操作でなければ（ステップＢ２４でＮＯ）、上述のステップＢ２３に戻るが、方向指定操作であれば（ステップＢ２４でＹＥＳ）、その移動方向を判別し（ステップＢ２５）、その移動方向に基づいて再生モード方向テーブルＴ３を参照する（ステップＢ２６）。その結果、該当する方向がそのテーブルＴ３に設定されていれば（ステップＢ２７でＹＥＳ）、その該当する方向に対応する方向別処理を行う（ステップＢ２８）。また、再生対象の画像を選択する操作が行われたときには（ステップＢ２９でＹＥＳ）、選択された画像を表示させ（ステップＢ３０）、また、その他の操作が行われたときには（ステップＢ３２でＹＥＳ）、その操作に応じた処理を行う（ステップＢ３３）。その後、上述のステップＢ２３に戻る。
【００６２】
モード変更ボタンＫ１が操作されたときには（ステップＢ３１でＹＥＳ）、図９のフローに移り、以下、撮影モードに応じた処理を行う。先ず、撮影モードの初期設定を行った後、ライブビュー画像を表示させる（ステップＢ２）。その他の操作が行われたときには（ステップＢ５でＹＥＳ）、その操作に応じた処理（ステップＢ６）を行った後、上述のステップＢ２に戻る。また、モード変更ボタンＫ１が操作されたときには（ステップＢ４でＹＥＳ）、上述の再生モードに応じた処理に移る。いま、レリーズボタンＫ２が操作されたときには（ステップＢ３でＹＥＳ）、ＡＦ処理、ＡＥ処理、ＡＷＢ処理（ステップＢ７）を行った後、撮影条件を設定して撮影処理を行う（ステップＢ８）。そして、この撮影された画像を一時格納フォルダＴＥＭＰに格納（ステップＢ９）させた後、この画像のレビュー表示を開始させる（ステップＢ１０）。
【００６３】
このレビュー表示中においては、筐体の移動操作が行われたかを調べたり（ステップＢ１１）、レビュー表示の継続時間が経過したかを調べたりする（ステップＢ１２）。ここで、加速度センサ９の各軸方向の加速度に基づいて筐体の移動操作が行われたことを検出した場合において（ステップＢ１１でＹＥＳ）、その移動操作が方向指定操作、つまり移動方向が一定の方向であれば（ステップＢ１３でＹＥＳ）、その移動方向を判別し（ステップＢ１４）、その判別方向に基づいて撮影モード方向テーブルＴ１を参照し（ステップＢ１５）、該当する方向がそのテーブルＴ１に設定されているかを調べる（ステップＢ１６）。ここで、該当していなければ（ステップＢ１６でＮＯ）、ステップＢ２０に移り、種類別処理に代わる通常の処理として、一時格納フォルダＴＥＭＰに一時保存されている画像を画像記憶部Ｍ２内の所定フォルダ（通常のフォルダ）にコピーする。そして、一時格納フォルダＴＥＭＰ内の画像を削除（ステップＢ２１）した後、上述のステップＢ２に戻る。
【００６４】
移動方向が上下左右いずれかの方向に該当していれば（ステップＢ１６でＹＥＳ）、その該当する方向に対応する種類別処理（方向別処理）を行う（ステップＢ１７）。そして、一時格納フォルダＴＥＭＰ内の画像を削除（ステップＢ２１）した後、上述のステップＢ２に戻る。また、筐体の移動操作が筐体を振りながら文字を書く文字入力操作であれば（ステップＢ１８でＹＥＳ）、その文字入力操作により入力された手書き文字を認識し（ステップＢ１９）、その認識文字に基づいて撮影モード手書き文字認識テーブルＴ２を参照する（ステップＢ１５）。
【００６５】
その結果、そのテーブルＴ２に設定されている文字のいずれにも認識文字が該当していなければ（ステップＢ１６でＮＯ）、ステップＢ２０に移るが、認識文字がいずれかの文字に該当していれば（ステップＢ１６でＹＥＳ）、その該当する文字に対応する種類別処理（文字別処理）を行う（ステップＢ１７）。そして、一時保存画像を処理済み画像として削除（ステップＢ２１）した後、上述のステップＢ２に戻る。また、レビュー表示の継続時間が経過したときには（ステップＢ１２でＹＥＳ）、ステップＢ２０に移り、一時保存画像を所定フォルダ（通常のフォルダ）にコピーする。そして、一時保存画像を削除（ステップＢ２１）した後、上述のステップＢ２に戻る。
【００６６】
以上のように、第二実施形態において制御部１は、レビュー表示中において、筐体を振る移動操作が行われた場合に、その移動操作の種類を判別し、その種類に応じて種類別処理をレビュー表示中の画像に対して実行するようにしたので、画像の撮影直後に筐体を振るという分かり易い簡単な操作を行うだけで、その画像に対する所望の処理を指定することができ、操作性や利便性を向上させることが可能となるほか、撮影直後であるためにユーザの意志を反映し易く、かつその他の状態で不用意に筐体を移動してしまっても予期せぬ処理が実行される心配もない。
【００６７】
したがって、第二実施形態においても上述した第一実施形態と基本的には同様に、レビュー表示中の筐体の移動操作は、ユーザが処理対象となる画像の指定操作を改めて行ったり、撮影画像に対する処理種別を選択するためのメニュー画面の呼び出し操作を改めて行ったりする必要がなく、ユーザがレビュー表示中に筐体の移動操作を行うだけで、自動的にレビュー表示中の撮影画像を処理対象として認識すると共に、その移動操作の内容を、様々な画像処理の種別の中から、撮影直後（未保存）の画像を対象とした処理種別を選択する操作指示として認識させることが可能になる。
【００６８】
制御部１は、筐体を振る移動操作（方向指定操作）が行われた場合にその移動方向に応じて種類別処理（方向別処理）を実行するようにしたので、筐体を振る方向を変えるという分かり易い簡単な操作を行うだけで良く、例えば、上下左右という簡単な方向への移動操作に応じて４種類の処理の中から所望する処理を指定することができる。
【００６９】
制御部１は、筐体の移動操作が筐体を振りながら文字を書く文字入力操作である場合にその文字入力操作により入力された手書き文字を認識し、その認識文字を操作の種類として判別し、認識文字に応じて種類別処理（文字別処理）を実行するようにしたので、筐体を振りながら手書き文字を入力するという分かり易い操作を行うだけで、所望する処理を指定することができるほか、文字の種類に対応する多くの処理の中から所望する処理を指定することができる。
【００７０】
制御部１は、レビュー表示中に筐体の移動操作の種類を判別することができなかった場合、つまり、レビュー表示の継続時間が経過した場合に、種類別処理（方向別処理／文字別処理）に代わる通常の処理として、分類別フォルダへの保存に代わって、撮影日時順に画像を保存する通常のフォルダへの保存処理を行うようにしたので、特別な操作を行わなくても通常のフォルダへの保存が可能となる。
その他、第二実施形態においても上述した第一実施形態と同様の効果を有する。
【００７１】
なお、上述した第二実施形態においては、上下左右方向への筐体の振り操作に応じて４種類の処理の中から所望する処理を指定するようにしたが、上下左右方向に加えて斜め４５°方向を入れて合計８種類の処理の中から所望する処理を指定するようにしてもよい。その他、上下左右方向に限らず、振り操作の方向は任意であり、一定時間内での振り操作の回数としてもよい。
【００７２】
（第三実施形態）
以下、この発明の第三実施形態について図１１〜図１５を参照して説明する。
なお、上述した第一実施形態においては、なぞる操作に応じて種類別処理を実行したり、手書き文字入力操作により入力された手書き文字に応じて種類別処理を実行したりするようにしたが、この第三実施形態においては、被写体の移動に応じて種類別処理を実行するようにしたものである。すなわち、撮影モードにおいて撮影された画像が所定時間継続してレビュー表示されている状態において、撮像部５の前（撮影レンズの前）で撮影者が自身の手（被写体）を移動させた場合、あるいは撮影者がカメラ本体（筐体）を振ることにより撮影範囲が変化して被写体があたかも移動したようになる場合に、その被写体の移動に応じて種類別処理を実行するようにしたものである。ここで、第一・第三実施形態において基本的あるいは名称的に同一のものは、同一符号を付して示し、その説明を省略すると共に、以下、第三実施形態の特徴部分を中心に説明するものとする。
【００７３】
図１１は、第三実施形態において、撮像装置として適用したデジタルカメラの基本的な構成要素を示したブロック図である。
第三実施形態のカメラは、基本的には図１と同様の構成で、制御部１は、電源部（二次電池）２からの電力供給によって動作し、記憶部３内の各種のプログラムに応じてこのデジタルカメラの全体動作を制御する。制御部１には、その入出力周辺デバイスとして操作部４、撮像部５、表示部６が接続されている。
【００７４】
図１２は、撮像部５の前（撮影レンズの前）で撮影者が自身の手（被写体）を移動する移動操作が行われた場合に、（１）は、所定方向への移動操作（方向指定操作）の種類を示している。ここで、撮影された画像がレビュー表示されている状態において、撮影者が手（被写体）を移動させた場合に、その移動操作の方向（移動方向）として、右方向に手を振る移動操作が行われた場合、左方向に手を振る移動操作が行われた場合、上方向に手を振る移動操作が行われた場合、下方向に手を振る移動操作が行われた場合を示し、そのいずれかの方向への移動操作が有効となる。制御部１は、レビュー表示中に撮像部５から画像を取得してその画像を解析することにより被写体の移動操作が行われたと判断した場合には、その移動操作の種類（方向）を判別し、その移動操作の種類に応じて種類別処理（方向別処理）をレビュー表示中の画像に対して実行するようにしている。
【００７５】
図１２（２）は、撮影モードにおいて撮像部５の前で撮影者が自身の手（被写体）を移動させながら文字を書く文字入力操作（被写体移動による文字入力操作）が行われた場合で、この例では、アルファベット文字の“Ｄ”を入力した場合を示している。制御部１は、レビュー表示中に撮像部５から画像を取得して、その画像を解析することにより被写体の移動操作が行われたと判断した場合に、その移動操作が文字を書く文字入力操作であれば、その文字入力操作により入力された手書き文字を認識し、その認識文字に応じて種類別処理（文字別処理）をレビュー表示中の画像に対して実行するようにしている。
【００７６】
図１３は、撮影者がカメラ本体（筐体）を振ることにより撮影範囲が変化して被写体があたかも移動したような状態となる場合を示している。図１３（１）は、撮影された画像がレビュー表示されている状態において、筐体を振った（被写体を移動させた）際に、その移動操作の方向（移動方向）として、上方向に筐体を振る移動操作（被写体を下方向に移動させる操作）が行われた場合、下方向に筐体を振る移動操作（被写体を上方向に移動させる操作）が行われた場合、右方向に筐体を振る移動操作（被写体を左方向に移動させる操作）が行われた場合、左方向に筐体を振る移動操作（被写体を右方向に移動させる操作）が行われた場合を示し、そのいずれかの方向への移動操作が有効となる。制御部１は、レビュー表示中に被写体の移動操作が行われた場合に、その移動操作の種類（方向）を判別し、その移動操作の種類に応じて種類別処理（方向別処理）をレビュー表示中の画像に対して実行するようにしている。
【００７７】
図１３（２）は、上述の第二実施形態と同様に、撮影モードにおいて筐体を振りながら（被写体を移動させながら）文字を書く文字入力操作（被写体移動による文字入力操作）が行われた場合で、第二実施形態の加速度センサ９を設けなくても、撮影された画像を解析することにより被写体の移動を検出し、その検出結果に基づいて手書き文字を認識するようにしている。この例では、アルファベット文字の“Ｄ”を入力した場合を示している。制御部１は、レビュー表示中に被写体の移動による文字入力操作が行われた場合に、その文字入力操作により入力された手書き文字を認識し、その認識文字に応じて種類別処理（文字別処理）をレビュー表示中の画像に対して実行するようにしている。
【００７８】
第三実施形態の撮影モード方向テーブルＴ１は、図３の構成と同様であり、また、第三実施形態の再生モード方向テーブルＴ３は、図４（２）の構成と同様であるが、第三実施形態での「方向」は、被写体の移動操作（方向指定操作）が行われた場合の移動方向を示している。その他は、第一実施形態と同様である。また、第三実施形態の撮影モード手書き文字認識テーブルＴ２は、図４（１）の構成と同様であるが、第三実施形態での「認識文字」は、被写体の移動によって文字を書く文字入力操作（被写体移動による文字入力操作）により入力された手書き文字の認識結果を示している。その他は、第一実施形態と同様である。
【００７９】
図１４及び図１５は、電源投入に応じて実行開始されるカメラの全体動作（第三実施形態の特徴部分の動作概要）を示したフローチャートである。なお、図１４及び図１５の各ステップにおいて第一実施形態の図５及び図６と基本的に同様の部分については、その説明を簡単に行うものとする。
先ず、制御部１は、撮影モードでなければ（図１４のステップＣ１でＮＯ）、図１５のフローに移り、再生モードの初期設定と共に再生対象の画像を表示させる処理を行う（ステップＣ２２）。この再生モードにおいて、撮像部５から画像を取得してその画像を解析することにより被写体の移動操作が行われたかを調べる（ステップＣ２３）。ここで、被写体の移動操作を検出したときには（ステップＣ２３でＹＥＳ）、その移動操作は方向指定操作であるかを調べる（ステップＣ２４）。
【００８０】
方向指定操作でなければ（ステップＣ２４でＮＯ）、上述のステップＣ２３に戻るが、方向指定操作であれば（ステップＣ２４でＹＥＳ）、その移動方向を判別する（ステップＣ２５）。そして、その移動方向に基づいて再生モード方向テーブルＴ３を参照し（ステップＣ２６）、該当する方向がそのテーブルＴ３に設定されていなければ（ステップＣ２７でＮＯ）、上述のステップＣ２３に戻るが、該当する方向がそのテーブルＴ３に設定されていれば（ステップＣ２７でＹＥＳ）、その該当する方向に対応する処理（ステップＣ２８）を行った後、上述のステップＣ２３に戻る。また、再生対象の画像を選択する操作が行われたときには（ステップＣ２９でＹＥＳ）、選択された画像を表示（ステップＣ３０）させた後、上述のステップＣ２３に戻る。また、その他の操作が行われたときには（ステップＣ３２でＹＥＳ）、その操作に応じた処理（ステップＣ３３）を実行した後、上述のステップＣ２３に戻る。
【００８１】
モード変更ボタンＫ１が操作されたときには（ステップＣ３１でＹＥＳ）、図１４のフローに移り、以下、撮影モードに応じた処理を行う。先ず、撮影モードの初期設定を行った後、ライブビュー画像を表示させる処理を行う（ステップＣ２）。その他の操作が行われたときには（ステップＣ５でＹＥＳ）、その操作に応じた処理（ステップＣ６）を行った後、上述のステップＣ２に戻る。また、モード変更ボタンＫ１が操作されたときには（ステップＣ４でＹＥＳ）、上述の再生モードに応じた処理に移る。
【００８２】
レリーズボタンＫ２が操作されたときには（ステップＣ３でＹＥＳ）、ＡＦ処理、ＡＥ処理、ＡＷＢ処理（ステップＣ７）を行った後、撮影条件を設定して撮影処理を行う（ステップＣ８）。そして、この撮影された画像を一時格納フォルダＴＥＭＰに一時保存（ステップＣ９）させた後、この画像のレビュー表示を開始させる（ステップＣ１０）。このレビュー表示中において、撮像部５から画像を取得し、その画像を解析することにより被写体の移動操作が行われたかを調べたり（ステップＣ１１）、レビュー表示の継続時間が経過したかを調べたりする（ステップＣ１２）。
【００８３】
ここで、被写体の移動操作が行われた場合において（ステップＣ１１でＹＥＳ）、その移動操作が方向指定操作であれば（ステップＣ１３でＹＥＳ）、その移動方向を判別し（ステップＣ１４）、その判別方向に基づいて撮影モード方向テーブルＴ１を参照する（ステップＣ１５）。その結果、該当する方向がそのテーブルＴ１に設定されていなければ（ステップＣ１６でＮＯ）、ステップＣ２０に移り、種類別処理に代わる通常の処理として、一時格納フォルダＴＥＭＰに一時保存されている画像を画像記憶部Ｍ２内の所定フォルダ（通常のフォルダ）にコピーする。そして、一時格納フォルダＴＥＭＰ内の画像を削除（ステップＣ２１）した後、上述のステップＣ２に戻る。
【００８４】
移動方向が上下左右いずれかの方向に該当していれば（ステップＣ１６でＹＥＳ）、その該当する方向に対応する方向別処理を行う（ステップＣ１７）。そして、一時保存画像を削除（ステップＣ２１）する。また、被写体の移動操作が文字を書く文字入力操作であれば（ステップＣ１８でＹＥＳ）、その操作により入力された手書き文字を認識し（ステップＣ１９）、その認識文字に基づいて撮影モード手書き文字認識テーブルＴ２を参照し（ステップＣ１５）、そのテーブルＴ２に設定されている文字のいずれにも認識文字が該当しているかを調べる（ステップＣ１６）。ここで、該当していなければ（ステップＣ１６でＮＯ）、ステップＣ２０に移るが、認識文字がいずれかに該当していれば（ステップＣ１６でＹＥＳ）、その該当する文字に対応する処理（文字別処理）を行う（ステップＣ１７）。その後、一時保存画像を削除する（ステップＣ２１）。また、レビュー表示の継続時間が経過したときには（ステップＣ１２でＹＥＳ）、ステップＣ２０に移り、一時保存画像を所定フォルダ（通常のフォルダ）にコピーした後、一時保存画像を削除する（ステップＣ２１）。
【００８５】
以上のように、第三実施形態において制御部１は、レビュー表示中において、被写体の移動操作が行われた場合に、その移動操作の種類を判別し、その種類に応じて種類別処理をレビュー表示中の画像に対して実行するようにしたので、画像の撮影直後に被写体を移動させるという分かり易い簡単な操作を行うだけで、その画像に対する所望の処理を指定することができ、操作性や利便性を向上させることが可能となるほか、撮影直後であるためにユーザの意志を反映し易く、かつその他の状態で不用意に被写体を移動してしまっても予期せぬ処理が実行される心配もない。
【００８６】
したがって、第三実施形態においても上述した第一実施形態と基本的には同様に、レビュー表示中の被写体の移動操作は、ユーザが処理対象となる画像の指定操作を改めて行ったり、撮影画像に対する処理種別を選択するためのメニュー画面の呼び出し操作を改めて行ったりする必要がなく、ユーザがレビュー表示中に被写体の移動操作を行うだけで、自動的にレビュー表示中の撮影画像を処理対象として認識すると共に、その移動操作の内容を、様々な画像処理の種別の中から、撮影直後（未保存）の画像を対象とした処理種別を選択する操作指示として認識させることが可能になる。
【００８７】
制御部１は、被写体の移動が所定方向への移動であれば、この移動方向を移動操作の種類として判別し、その移動方向に応じて種類別処理（方向別処理）を実行するようにしたので、筐体を振る方向を変えるという分かり易い簡単な操作を行うだけで良く、例えば、上下左右という簡単な方向への移動操作に応じて４種類の処理の中から所望する処理を指定することができる。
【００８８】
制御部１は、被写体の移動操作が文字を書く文字入力操作である場合にその文字入力操作により入力された手書き文字を認識し、その認識文字を操作の種類として判別し、認識文字に応じて種類別処理（文字別処理）を実行するようにしたので、被写体を移動しながら手書き文字を入力するという分かり易い操作を行うだけで、所望する処理を指定することができるほか、文字の種類に対応する多くの処理の中から所望する処理を指定することができる。
【００８９】
制御部１は、レビュー表示中に被写体の移動操作の種類を判別することができなかった場合、つまり、レビュー表示の継続時間が経過した場合に、種類別処理に代わる通常の処理として、分類別フォルダへの保存に代わって、撮影日時順に画像を保存する通常のフォルダへの保存処理を行うようにしたので、特別な操作を行わなくても通常のフォルダへの保存が可能となる。
その他、第三実施形態においても上述した第一実施形態と同様の効果を有する。
【００９０】
なお、上述した第三実施形態においては、上下左右方向への被写体の移動操作に応じて４種類の処理の中から所望する処理を指定するようにしたが、上下左右方向に加えて斜め４５°方向を入れて合計８種類の処理の中から所望する処理を指定するようにしてもよい。その他、上下左右方向に限らず、任意であり、更に、一定時間内での被写体の移動操作の回数としてもよい。
【００９１】
また、上述した各実施形態においては、静止画撮影を行った場合を例示したが、動画撮影を行った場合でも同様に適用可能である。この場合、動画撮影の終了後のレビュー表示中での移動操作に限らず、動画撮影中で移動操作を行うようにしてもよい。なお、動画撮影中に移動操作を行った場合には、その動画撮影の終了後に指定フォルダに保存するようにすればよい。
【００９２】
また、上述した各実施形態においては、デジタルカメラ（コンパクトカメラ）について適用した場合であるが、これに限らず、例えば、カメラ機能付きパーソナルコンピュータ・ＰＤＡ（個人向け携帯型情報通信機器）・音楽プレイヤーなどであってもよい。
【００９３】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００９４】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
モニタ画面と該モニタ画面上にタッチパネルを備えた撮像装置であって、
画像を撮影する撮像手段と、
前記撮像手段による画像の撮影後から前記モニタ画面に所定時間行われるレビュー表示中において、前記タッチパネルに対して行われたタッチ操作の種類を判別する判別手段と、
前記判別手段により判別されたタッチ操作の種類に応じて種類別処理を前記レビュー表示中の画像に対して実行する処理制御手段と、
を備えることを特徴とする撮像装置である。
（請求項２）
請求項２に記載の発明は、請求項１記載の撮像装置において、
前記判別手段は、前記タッチパネルに対するタッチ操作としてなぞる操作が行われた場合にそのなぞり方向を前記操作の種類として判別し、
前記処理制御手段は、前記判別手段により判別されたなぞり方向に応じた方向別処理を前記種類別処理として実行する、
ようにしたことを特徴とする撮像装置である。
（請求項３）
請求項３に記載の発明は、請求項１記載の撮像装置において、
前記タッチパネルに対するタッチ操作として手書き文字入力操作が行われた場合にその文字入力操作により入力された手書き文字を認識する認識手段を更に備え、
前記判別手段は、前記認識手段により認識された手書き文字を前記操作の種類として判別し、
前記処理制御手段は、前記認識手段により認識された手書き文字に応じた文字別処理を前記種類別処理として実行する、
ようにしたことを特徴とする撮像装置である。
（請求項４）
請求項４記載の発明は、請求項１記載の撮像装置において、
前記処理制御手段は、前記レビュー表示中に前記判別手段によってタッチ操作の種類を判別することができなかった場合に、前記種類別処理に代わって通常の処理を前記レビュー表示中の画像に対して実行する、
ようにしたことを特徴とする撮像装置である。
（請求項５）
請求項５に記載の発明は、
モニタ画面を備えた撮像装置であって、
画像を撮影する撮像手段と、
前記撮像手段による画像の撮影後から前記モニタ画面に所定時間行われるレビュー表示中において、当該撮像装置を移動させる移動操作を検出する検出手段と、
前記検出手段により検出された移動操作の種類を判別する判別手段と、
前記判別手段により判別された移動操作の種類に応じて種類別処理を前記レビュー表示中の画像に対して実行する処理制御手段と、
を備えることを特徴とする撮像装置である。
（請求項６）
請求項６に記載の発明は、請求項５記載の撮像装置において、
前記判別手段は、当該撮像装置の移動方向を前記移動操作の種類として判別し、
前記処理制御手段は、前記判別手段により判別された移動方向に応じた方向別処理を前記種類別処理として実行する、
ようにしたことを特徴とする撮像装置である。
（請求項７）
請求項７に記載の発明は、請求項５記載の撮像装置において、
前記検出手段により検出された移動操作として手書き文字を入力する文字入力操作が行われた場合にその文字入力操作により入力された手書き文字を認識する認識手段を更に備え、
前記判別手段は、前記認識手段により認識された手書き文字を前記移動操作の種類として判別し、
前記処理制御手段は、前記認識手段により認識された手書き文字に応じた文字別処理を前記種類別処理として実行する、
ようにしたことを特徴とする撮像装置である。
（請求項８）
請求項８に記載の発明は、請求項５記載の撮像装置において、
前記処理制御手段は、前記レビュー表示中に前記判別手段によって移動操作の種類を判別することができなかった場合に、前記種類別処理に代わって通常の処理を前記レビュー表示中の画像に対して実行する、
ようにしたことを特徴とする撮像装置である。
（請求項９）
請求項９に記載の発明は、
モニタ画面を備えた撮像装置であって、
画像を撮影する撮像手段と、
前記撮像手段による画像の撮影後から前記モニタ画面に所定時間行われるレビュー表示中において、前記撮像手段から取得した画像内の被写体の移動を検出する検出手段と、
前記検出手段により被写体の移動が検出された場合にその被写体を移動させた移動操作の種類を判別する判別手段と、
前記判別手段により判別された移動操作の種類に応じて種類別処理を前記レビュー表示中の画像に対して実行する処理制御手段と、
を備えることを特徴とする撮像装置である。
（請求項１０）
請求項１０に記載の発明は、請求項９記載の撮像装置において、
前記判別手段は、前記検出手段により被写体の移動が検出された場合に、その被写体の移動が所定方向への移動であれば、この移動方向を前記移動操作の種類として判別し、
前記処理制御手段は、前記判別手段により判別された移動方向に応じた方向別処理を前記種類別処理として実行する、
ようにしたことを特徴とする撮像装置である。
（請求項１１）
請求項１１に記載の発明は、請求項９記載の撮像装置において、
前記検出手段により被写体の移動が検出された場合に、その被写体の移動が手書き文字を入力する文字入力操作によるものであれば、その文字入力操作により入力された手書き文字を認識する認識手段を更に備え、
前記判別手段は、前記認識手段により認識された手書き文字を前記移動の種類として判別し、
前記処理制御手段は、前記認識手段により認識された手書き文字に応じた文字別処理を前記種類別処理として実行する、
ようにしたことを特徴とする撮像装置である。
（請求項１２）
請求項１２に記載の発明は、請求項９記載の撮像装置において、
前記処理制御手段は、前記レビュー表示中に前記判別手段によって移動操作の種類を判別することができなかった場合に、前記種類別処理に代わって通常の処理を前記レビュー表示中の画像に対して実行する、
ようにしたことを特徴とする撮像装置である。
（請求項１３）
請求項１３に記載の発明は、請求項１〜請求項１２のいずれかに記載の撮像装置において、
前記撮像手段による撮影後の画像を一時格納フォルダに格納した後、前記種類別処理が実行された場合に前記一時格納フォルダ内の画像を処理済み画像として消去する一時保存処理手段を更に備える、
ようにしたことを特徴とする撮像装置である。
（請求項１４）
請求項１４に記載の発明は、請求項１〜請求項１３のいずれかに記載の撮像装置において、
前記処理制御手段は、前記撮像手段により撮影された画像をその種類に応じたフォルダに振り分ける処理を種類別処理として実行する、
ようにしたことを特徴とする撮像装置である。
（請求項１５）
請求項１５に記載の発明は、請求項１〜請求項１３のいずれかに記載の撮像装置において、
前記処理制御手段は、前記撮像手段により撮影された画像のリネーム処理を種類別処理として実行する、
ようにしたことを特徴とする撮像装置である。
（請求項１６）
請求項１６に記載の発明は、請求項１〜請求項１３のいずれかに記載の撮像装置において、
前記処理制御手段は、前記撮像手段により撮影されて保存されている画像を削除する処理を前記種類別処理の一部として実行する、
ようにしたことを特徴とする撮像装置である。
（請求項１７）
請求項１７に記載の発明は、請求項１〜請求項１３のいずれかに記載の撮像装置において、
前記処理制御手段は、前記撮像手段により撮影された画像を保存する際の保存画像サイズを変更する処理を前記種類別処理として実行する、
ようにしたことを特徴とする撮像装置である。
（請求項１８）
請求項１８に記載の発明は、請求項１〜請求項１３のいずれかに記載の撮像装置において、
前記処理制御手段は、前記撮像手段により撮影された画像のファイル属性を指定する処理を前記種類別処理として実行する、
ようにしたことを特徴とする撮像装置である。
（請求項１９）
請求項１９に記載の発明は、
コンピュータに対して、
画像を撮影する機能と、
前記画像の撮影後からモニタ画面に所定時間行われるレビュー表示中において、該モニタ画面上のタッチパネルに対して行われたタッチ操作の種類を判別する機能と、
前記判別されたタッチ操作の種類に応じて種類別処理を前記レビュー表示中の画像に対して実行する機能と、
を実現させるためのプログラムである。
（請求項２０）
請求項２０記載の発明は、
コンピュータに対して、
画像を撮影する機能と、
前記画像の撮影後からモニタ画面に所定時間行われるレビュー表示中において、撮像装置を移動させる移動操作を検出する機能と、
前記移動操作が検出された場合にその移動の種類を判別する機能と、
前記判別された移動の種類に応じて種類別処理を前記レビュー表示中の画像に対して実行する機能と、
を実現させるためのプログラムである。
（請求項２１）
請求項２１に記載の発明は、
コンピュータに対して、
画像を撮影する機能と、
前記画像の撮影後からモニタ画面に所定時間行われるレビュー表示中において、撮影取得した画像内の被写体の移動を検出する機能と、
前記被写体の移動が検出された場合にその被写体を移動させた移動操作の種類を判別する機能と、
前記判別された移動操作の種類に応じて種類別処理を前記レビュー表示中の画像に対して実行する機能と、
を実現させるためのプログラムである。
【符号の説明】
【００９５】
１  制御部
３  記憶部
４  操作部
５  撮像部
６  表示部
７  タッチ入力表示部
８  タッチパネル
Ｍ１  プログラム記憶部
Ｍ２  画像記憶部
Ｍ３  テーブル記憶部
Ｔ１  撮影モード方向テーブル
Ｔ２  撮影モード手書き文字認識テーブル
Ｔ３  再生モード方向テーブル
ＴＥＭＰ  一時格納フォルダ
【図１】
0005652408.tif 000002
【図２】
0005652408.tif 000003
【図３】
0005652408.tif 000004
【図４】
0005652408.tif 000005
【図５】
0005652408.tif 000006
【図６】
0005652408.tif 000007
【図７】
0005652408.tif 000008
【図８】
0005652408.tif 000009
【図９】
0005652408.tif 000010
【図１０】
0005652408.tif 000011
【図１１】
0005652408.tif 000012
【図１２】
0005652408.tif 000013
【図１３】
0005652408.tif 000014
【図１４】
0005652408.tif 000015
【図１５】
0005652408.tif 000016